(57)【特許請求の範囲】
【請求項１】
止水に用いられる止水具セットであって、
穴に栓をする止水駒と、
前記止水駒は、弾性体と螺杆とナット部とから構成され、
前記弾性体には中心軸に沿って貫通孔が穿設され、前記貫通孔に前記螺杆が挿通され、
前記螺杆はボルト形状であって、一方の端に螺杆頭部を有し、中央に螺刻された螺杆本体部を有し、他方の端に前記螺杆本体部とは逆向きのねじ方向に螺刻され、前記螺杆本体部よりも径が小さい螺杆先端部を有しており、前記ナット部は前記螺杆本体部と螺合しており、
前記螺杆頭部が前記ナット部側に近付く方向に前記螺杆を前記ナット部に対して回転させることにより、前記弾性体が軸方向に圧縮されて径方向に膨張するように構成し、
中軸継手の両端に、前記螺杆の先端の螺杆先端部と同一ねじ方向の雄ねじ又は雌ねじが螺刻されており、
前記止水駒の前記螺杆を回す中軸ハンドルと、
前記止水駒の前記ナット部を回す外軸ハンドルと、
前記螺杆と前記中軸ハンドルとを連結する前記中軸継手と、
前記ナット部と前記外軸ハンドルとを連結する外軸継手とを備え、
前記外軸継手は前記中軸継手を套嵌することを特徴とする止水具セット。
【請求項２】
止水に用いられる止水具セットであって、
穴に栓をする止水駒と、
前記止水駒は、弾性体と螺杆とナット部とから構成され、
前記弾性体には中心軸に沿って貫通孔が穿設され、前記貫通孔に前記螺杆が挿通され、
前記螺杆はボルト形状であって、一方の端に螺杆頭部を有し、中央に螺刻された螺杆本体部を有し、他方の端に前記螺杆本体部とは逆向きのねじ方向に螺刻され、前記螺杆本体部よりも径が小さい螺杆先端部を有しており、前記ナット部は前記螺杆本体部と螺合しており、
前記螺杆頭部が前記ナット部側に近付く方向に前記螺杆を前記ナット部に対して回転させることにより、前記弾性体が軸方向に圧縮されて径方向に膨張するように構成し、
外軸継手の両端に、前記止水駒の前記ナット部、他の外軸継手の端部又は外軸ハンドルの端部と嵌合し、互いの回転を阻止する嵌合部が設けられており、
前記止水駒の前記螺杆を回す中軸ハンドルと、
前記止水駒の前記ナット部を回す前記外軸ハンドルと、
前記螺杆と前記中軸ハンドルとを連結する中軸継手と、
前記ナット部と前記外軸ハンドルとを連結する前記外軸継手とを備え、
前記外軸継手は前記中軸継手を套嵌することを特徴とする止水具セット。
【請求項３】
前記中軸継手と前記外軸継手とが２対以上であることを特徴とする請求項１又は請求項２に記載の止水具セット。
【請求項４】
請求項１記載の止水具セットを使用する止水方法であって、
前記螺杆先端部に前記中軸継手が取り付けられ、前記ナット部に前記外軸継手が取り付けられた前記止水駒を止水する穴内に配置する第１工程と、
前記止水駒が前記穴内の所定の深さに到達するまで前記中軸継手と前記外軸継手とを追加して接続し、前記止水駒を前記穴内に更に挿入する第２工程と、
前記中軸継手に前記中軸ハンドルを接続し、前記外軸継手に前記外軸ハンドルを接続し、前記中軸ハンドルと前記外軸ハンドルとによって前記止水駒の前記弾性体を膨張させ、前記止水駒で前記穴に栓をする第３工程を備えることを特徴とする止水方法。
【請求項５】
請求項２記載の止水具セットを使用する止水方法であって、
前記螺杆先端部に前記中軸継手が取り付けられ、前記ナット部に前記外軸継手が取り付けられた前記止水駒を止水する穴内に配置する第１工程と、
前記止水駒が前記穴内の所定の深さに到達するまで前記中軸継手と前記外軸継手とを追加して接続し、前記止水駒を前記穴内に更に挿入する第２工程と、
前記中軸継手に前記中軸ハンドルを接続し、前記外軸継手に前記外軸ハンドルを接続し、前記中軸ハンドルと前記外軸ハンドルとによって前記止水駒の前記弾性体を膨張させ、前記止水駒で前記穴に栓をする第３工程を備えることを特徴とする止水方法。
【発明の詳細な説明】
【技術分野】
【０００１】
本発明は止水方法及び止水具セットに関し、特に止水駒を挿入する深い穴の入口付近の作業領域が狭い場合にも、容易に止水駒を挿入して止水することができる止水方法及び止水具セットに関する。
【背景技術】
【０００２】
従来から水道管の断水工事等において、水道管等からの出水を止めるのに止水駒が用いられている（特許文献１等参照）。この止水駒の使用においては、中軸ハンドルと外軸ハンドルの先端に止水駒を取り付けて止水駒を止水箇所に移動させた後、中軸ハンドルと外軸ハンドルを回転させることによって止水駒を膨らませ、簡単に止水することができる。
このように出水を止めることが求められる事例として、例えば、ダムの壁の老朽化調査がある。この調査では、壁の外側から貯水側に向かって深い穴（例えば径１５ｍｍ、深さ５ｍ）を開け、その穴にセンサー等を用いて壁の老朽化具合を調べることが行われる。この穴はできるだけ貯水側まで設けることが望ましいが、貯水側に近づきすぎると穴の先端から水が入ってくるおそれがある。そのために、穴の先端部に止水駒で栓が行われる。このために、長い中軸ハンドルと外軸ハンドルとを用いて止水駒を穴の先端に挿入することが行われる。しかしながら、穴の入口付近に何らかの構造物等があり、作業領域が狭い場合には中軸ハンドルと外軸ハンドルの長さが邪魔になるので、止水駒を穴に挿入することができない。
【先行技術文献】
【特許文献】
【０００３】
【特許文献１】特開平５−１７１６６２号公報
【発明の概要】
【発明が解決しようとする課題】
【０００４】
本発明は、上記したような従来技術の問題点を解決すべくなされたものであって、止水駒を挿入する穴の入口付近の作業領域が狭い場合にも、容易に止水駒を挿入することができる止水方法及び止水具セットを提供するものである。
【課題を解決するための手段】
【０００５】
請求項１に係る発明は、螺杆先端部に中軸継手が取り付けられ、ナット部に外軸継手が取り付けられた止水駒を止水する穴内に配置する第１工程と、前記止水駒が前記穴内の所定の深さに到達するまで中軸継手と外軸継手とを追加して接続し、該止水駒を前記穴内に更に挿入する第２工程と、前記中軸継手に中軸ハンドルを接続し、前記外軸継手に外軸ハンドルを接続し、該中軸ハンドルと外軸ハンドルとによって止水駒の弾性体を膨張させ、止水駒で前記穴に栓をする第３工程を備えることを特徴とする止水方法に関する。
【０００６】
請求項２に係る発明は、請求項１記載の止水方法に用いられる止水具セットであって、前記穴に栓をする止水駒と、前記止水駒の螺杆を回す中軸ハンドルと前記止水駒のナット部を回す外軸ハンドルと、前記螺杆と前記中軸ハンドルとを連結する中軸継手と、前記ナット部と前記外軸ハンドルとを連結する外軸継手とを備え、前記外軸継手は前記中軸継手を套嵌することを特徴とする止水具セットに関する。
【０００７】
請求項３に係る発明は、前記中軸継手と前記外軸継手とが２対以上であることを特徴とする請求項２記載の止水具セットに関する。
【０００８】
請求項４に係る発明は、前記中軸継手の両端に、前記螺杆の先端の螺杆先端部と同一ねじ方向の雄ねじ又は雌ねじが螺刻されていることを特徴とする請求項２又は請求項３記載の止水具セットに関する。
【０００９】
請求項５に係る発明は、前記外軸継手の両端に、前記止水駒のナット部、他の外軸継手の端部又は外軸ハンドルの端部と嵌合し、互いの回転を阻止する嵌合部が設けられていることを特徴とする請求項２乃至請求項４記載の止水具セットに関する。
【発明の効果】
【００１０】
請求項１に係る発明の止水方法によれば、中軸継手と外軸継手とを接続していくので、止水駒を挿入する穴の入口付近の作業領域が狭い場合にも、容易に止水駒を挿入することができる。
【００１１】
請求項２に係る発明の止水具セットによれば、中軸継手と外軸継手とを備えるので、止水駒を挿入する穴の入口付近の作業領域が狭い場合にも、容易に止水駒を挿入することができる。
【００１２】
請求項３に係る発明の止水具セットによれば、中軸継手と外軸継手とが２対以上なので、穴が深くても確実に止水駒を止水箇所に挿入することができる。
【００１３】
請求項４に係る発明の止水具セットによれば、中軸継手を同一方向に回転させて、容易に接続することができる。
【００１４】
請求項５に係る発明の止水具セットによれば、外軸継手を容易に接続することができる。
【図面の簡単な説明】
【００１５】
【図１】本実施形態に係る止水方法に用いる止水駒の概略側面図である。
【図２】同止水駒の概略断面図である。
【図３】（ａ）は本実施形態に係る止水方法に用いる止水駒セットの中軸継手の概略側面図であり、（ｂ）は同止水駒セットの外軸継手の概略側面図であり、（ｃ）は同止水駒セットの中軸ハンドルの概略側面図であり、（ｄ）は同止水駒セットの外軸ハンドルの概略側面図である。
【図４】同止水駒セットの側面の概略断面図と、軸に垂直な方向の概略断面図である。
【図５】（ａ）乃至（ｅ）は本実施形態に係る止水方法の説明図である。
【図６】本実施形態に係る止水方法の使用状況の図である。
【図７】（ａ）は外軸継手の嵌合部同士の接合状態を示す概略断面図であり、（ｂ）は外軸継手の嵌合部同士の他の接合状態を示す概略側面図である。
【図８】外軸継手の嵌合部の概略斜視図である。
【図９】外軸継手の嵌合部同士の接合部分の部分断面図である。
【発明を実施するための形態】
【００１６】
以下、本発明に係る止水方法の好適な実施形態について、図面を参照しながら説明する。
最初に、本実施形態の止水方法に用いられる止水駒について、図１及び２を参照して説明する。
止水駒１は、円筒形状の弾性体１１と螺杆１２と受板１３とワッシャ１４とナット部１５とから構成されている。
弾性体１１には中心軸に沿って貫通孔１１ａが穿設され、貫通孔１１ａに螺杆１２が挿通されている。
螺杆１２はボルト形状であって、一方の端に螺杆頭部１２ａを有し、中央に螺刻された螺杆本体部１２ｂを有し、他方の端に螺杆本体部１２ｂとは逆向きのねじ方向に螺刻され、螺杆本体部１２ｂよりも径が小さい螺杆先端部１２ｃを有している。
弾性体１１の両端面それぞれには、螺杆本体部１２ｂと遊嵌する受板１３とワッシャ１４とが設けられている。受板１３の外側には螺杆頭部１２ａが隣接し、ワッシャ１４の外側にはナット部１５が隣接しており、ナット部１５は螺杆本体部１２ｂと螺合している。
螺杆頭部１２ａがナット部１５側に近付く方向に螺杆１２をナット部１５に対して回転させる（図２の矢印Ｘ方向）ことにより、弾性体１１が軸方向に圧縮されて径方向に膨張する。この回転により穴内に挿入された止水駒１を膨張させることによって、穴に栓をすることができる。
【００１７】
次に、止水具セットについて図３を参照して説明する。止水具セットは、穴に栓をする止水駒１と、止水駒１の螺杆１２を回す中軸ハンドル２と、止水駒１のナット部１５を回す外軸ハンドル３と、螺杆１２と中軸ハンドル２とを連結する中軸継手４と、ナット部１５と外軸ハンドル３とを連結する外軸継手５とを備え、外軸継手５は中軸継手４を套嵌する。
【００１８】
中軸継手４は、両端に、螺杆１２の先端の螺杆先端部１２ｃと同一ねじ方向の雄ねじ又は雌ねじが螺刻されており、例えば図３（ａ）に示すように、一方の端に雌ねじ４１を有し、他方の端に雄ねじ４２を有する。また、中軸継手４は、両端付近にスパナによって締められる締め付け部４３を有する。
【００１９】
外軸継手５は、両端に、止水駒１のナット部１５、他の外軸継手５の端部又は外軸ハンドル３の端部と嵌合し、互いの回転を阻止する嵌合部が設けられている。
外軸継手５は、例えば、図３（ｂ）に示すように、一方の端の嵌合部５１ａは、内周面が止水駒１のナット部１５と嵌合する六角形状になっており、他方の端の嵌合部５１ｂは、外周面が六角形等の多角形状になっている。外軸継手５の嵌合部５１ａ、５１ｂは、嵌合部５１ａの内径が嵌合部５１ｂの外径よりも大きく、外軸継手５同士を接続することができ、接続させる相手側の端部と嵌合して互いの回転を阻止する形状になっている。
また、外軸継手５の内径は、中軸継手４が挿通できる大きさになっている。
中軸継手４と外軸継手５とは対であり、止水駒１が止水する位置に届くのに必要な数の対数を止水具セットは有する。
【００２０】
中軸ハンドル２は、図３（ｃ）に示すように、端部が中軸継手４と螺合するねじになっている。また、外軸ハンドル３は、図３（ｄ）に示すように、端部が、外軸継手５と嵌合する多角形状になっている。また、外軸ハンドル３の内径は、中軸ハンドル２が挿通できる大きさになっている。
【００２１】
図４に、止水駒１に、中軸継手４、外軸継手５、中軸ハンドル２及び外軸ハンドル３を取り付けた止水具セットの概略図を示す。図４では、止水駒１が管Ｋの中に挿入されている。図４では、図中のＡ〜Ｄの位置での各断面を示している。
この止水具セットにおいて、外軸ハンドル３を固定し、中軸ハンドル２を矢印Ｘ方向に回転させると、螺杆頭部１２ａとナット部１５とが近づいて弾性体１１が軸方向に圧縮され、径方向に膨張する。これにより管Ｋを止水する。
【００２２】
次に、上述した止水具セットを用い、止水駒を挿入する穴の入口付近の作業領域が狭いところでも止水する本実施形態の止水方法を、図５を参照して説明する。
本実施形態の止水方法は、螺杆先端部１２ｃに中軸継手４が取り付けられ、ナット部１５に外軸継手５が取り付けられた止水駒１を、止水する穴内に配置する第１工程と、止水駒１が前記穴内の所定の深さに到達するまで中軸継手４と外軸継手５とを追加して接続し、止水駒１を穴内に更に挿入する第２工程と、中軸継手４に中軸ハンドル２を接続し、外軸継手５に外軸ハンドル３を接続し、中軸ハンドル２と外軸ハンドル３とによって止水駒１の弾性体１１を膨張させる第３工程とを備える。
【００２３】
第１工程では、止水駒１の螺杆先端部１２ｃに中軸継手４の雌ねじ４１を螺合して取り付け（図５（ａ）参照）、止水駒１のナット部１５に外軸継手５の嵌合部５１を嵌合させて取り付け、止水駒１を穴内に配置する（図５（ｂ）参照）。
【００２４】
第２工程では、止水駒１に取り付けられた中軸継手４に、更に中軸継手４を取り付ける（図５（ｃ）参照）。取り付けにあたっては、中軸継手４それぞれの締め付け部４３をスパナによって締めつける。このときに、先に取り付けられている中軸継手４の締め付け部４３が外に出ていてスパナで係合できるように、先に取り付けられている外軸継手５の長さが調整されている。
中軸継手４を接続すると、外軸継手５を接続する（図５（ｄ）参照）。
このようにして、止水駒１が止水する位置に届くまで中軸継手４と外軸継手５とを接続していく。なお、第１工程で、止水駒１が止水する位置に届く場合には、第２工程を行わなくてもよい。
【００２５】
第３工程では、中軸継手４に中軸ハンドル２を接続し、外軸継手５に外軸ハンドル３を接続してから、外軸ハンドル３を固定して中軸ハンドル２を矢印Ｘ方向に回転させ、弾性体１１を膨張させて止水する。図６に、本実施形態の止水方法によって、ダムの壁に開けた深い穴の止水を行っている状況を示す。
【００２６】
止水後に、止水駒１から中軸継手４等を取り外すには、中軸ハンドル２を矢印Ｘとは逆方向に回転させて取り外す。止水駒１から中軸継手４が外れた後に、中軸ハンドル２、外軸ハンドル３、中軸継手４、外軸継手５を順に分解して撤去する。外軸継手５を撤去するためには接続された外軸継手５を穴の入り口まで引き抜かなければならないが、このときに、外軸継手５の接続が外れて外軸継手５が穴の中に残置するおそれがある。このために、外軸継手５同士を外れ難くするには、嵌合部５１同士をピンＰで係合するような構造にすればよいし（図７（ａ）参照）、ピンに代えてねじで固定してもよい。
また、外軸継手５が磁性を有する鉄材である場合には、一方の外軸継手５の端部の周囲に磁石Ｍを取り付け、磁力によって他方の外軸継手５と接合するようにしてもよい（図７（ｂ）参照）。
【００２７】
また、外軸継手５の接続が外れないようにするために、図８に示すように外軸継手５の嵌合部５１の内で、接続される相手側の管の内側に挿入される嵌合部５１ｂにおける多角形部分と円筒部５２との段差５３を利用するようにしてもよい。例えば、図９（ａ）に示すように、嵌合部５１ｂに接続される相手側の嵌合部５１ａにねじ穴を開けてねじＬ１を螺入し、ねじＬ１が段差５３に係合するようにしてもよい。このねじＬ１に図９（ａ）のような止めねじを用いれば、頭部がないので径の小さい穴にも止水具セットを用いることができる。この止めねじは、先端形状が平坦なものが好ましい。
また、図９（ｂ）に示すように、相手側の嵌合部５１ａの先端内側にねじを切り、リング状のストッパーＬ２を螺入し、ストッパーＬ２が段差５３に係合するようにしてもよい。
また、段差５３を利用する方法ではないが、図９（ｃ）に示すように、嵌合部５１ｂに接続される相手側の嵌合部５１ａにねじ穴を開けてねじＬ３を螺入し、ねじＬ３で嵌合部５１ｂの多角形部分の平坦面を止めるようにしてもよい。このねじＬ３に図９（ｃ）のような止めねじを用いれば、頭部がないので径の小さい穴にも止水具セットを用いることができる。この止めねじは、先端形状が尖ったものが好ましい
【００２８】
中軸継手４同士の螺合を外れ難くするには、雄ねじ、雌ねじ間にワッシャーを入れればよい。
【００２９】
本実施形態の止水方法によれば、穴の入口で、止水駒１に中軸継手４と外軸継手５とを順に接続していくので、入口付近の作業領域が狭い場合にも、容易に止水駒を挿入することができる。
【産業上の利用可能性】
【００３０】
本発明は、例えば、ダムの壁の老朽化調査に好適に使用される。
【符号の説明】
【００３１】
１      止水駒
１１    弾性体
１２    螺杆
１２ｃ  螺杆先端部
１５    ナット部
２      中軸ハンドル
３      外軸ハンドル
４      中軸継手
５      外軸継手
５１    嵌合部
【図１】
0006358598.tif 000002
【図２】
0006358598.tif 000003
【図３】
0006358598.tif 000004
【図４】
0006358598.tif 000005
【図５】
0006358598.tif 000006
【図６】
0006358598.tif 000007
【図７】
0006358598.tif 000008
【図８】
0006358598.tif 000009
【図９】
0006358598.tif 000010